(57)【要約】      （修正有）【課題】ディスクをケースから取り出さずにディスク記録面をクリーニングできる収納ケースを提供する。【解決手段】第１のケース半体と第２のケース半体とをヒンジ部を介して開閉自在に合体させるディスク収納ケースであって、前記第１のケース半体に、押圧により変形する第１変形部とディスクの孔部に係脱自在で且つ係止・保持できる第１係止部とからなる第１のディスク係止部が設けられ、前記第２のケース半体に、前記第１のデスク係止部と対応する位置に、押圧により変形する第２変形部とディスクの孔部に係脱自在で且つ係止・保持できる第２係止部とからなる第２のディスク係止部が設けられ、前記第１または第２係止部にディスクを係止・保持させて収納した状態で、第１または第２のディスク係止部を押圧変形させることにより、押圧変形した側のディスク係止部側にディスクを移転させて係止・保持できる構成にした。【選択図】図１
2006151419.tif 000002
【特許請求の範囲】
【請求項１】
第１のケース半体と第２のケース半体とをヒンジ部を介して開閉自在に合体させるディスク収納ケースであって、
前記第１のケース半体に、押圧により変形する第１変形部とディスクの孔部に係脱自在で且つ係止・保持できる第１係止部とからなる第１のディスク係止部が設けられ、
前記第２のケース半体に、前記第１のデスク係止部と対応する位置に、押圧により変形する第２変形部とディスクの孔部に係脱自在で且つ係止・保持できる第２係止部とからなる第２のディスク係止部が設けられ、
前記第１または第２係止部にディスクを係止・保持させて収納した状態で、第１または第２のディスク係止部を押圧変形させることにより、押圧変形した側のディスク係止部側にディスクを移転させて係止・保持できる構成にしたこと
を特徴とするディスク収納ケース。
【請求項２】
前記第１および第２変形部は、低い段差をもった台形状に形成されていること
を特徴とする請求項１に記載のディスク収納ケース。
【請求項３】
前記第１係止部は、略逆台形状に形成されその上端縁部がディスクの孔部よりも僅かに大径に形成されていること
を特徴とする請求項１に記載のディスク収納ケース。
【請求項４】
前記第２係止部は、円形状に所要間隔をもって配設された複数の円弧状を呈する柱状体で形成され、その先端部はディスクの孔部よりも僅かに大径になるように突出部が形成されていること
を特徴とする請求項１に記載のディスク収納ケース。
【発明の詳細な説明】
【技術分野】
【０００１】
本発明は、例えば、ＣＤ、ＤＶＤ等のディスクをクリーニング等する際に、ディスクに直接触れなくてもディスクを反転させ記録面を表出させてクリーニングすることができるディスク収納ケースに関するものである。
【背景技術】
【０００２】
従来、ＣＤ、ＤＶＤ等のディスクを収納するケースとしては、例えば、本体（第１のケース半体）と、該本体に対して開閉自在に取り付けられた外蓋（第２のケース半体）とからなり、該本体の中央部にはＣＤ位置決め座が設けられ、該ＣＤ位置決め座にＣＤを係止させることができるようになっている（特許文献１の従来の技術参照）。
【０００３】
この特許文献１に開示された公知技術の収納ケースにおいては、外蓋（第２のケース半体）は、単に蓋としての機能のみを有するものであって、ＣＤを係止して収納するＣＤ位置決め座（ディスク係止部）は、本体（第１のケース半体）側にのみ設けられているものである。
【０００４】
また、第１のケース半体と第２のケース半体とにディスク係止部が設けられているものとしては、例えば、上部カバー（第２のケース半体）および該上部カバーに一体的にかつ枢動可能に連結された下部カバー（第１のケース半体）を含むコンパクトディスク用ケースであって、複数の第１のバー（第２のディスク係止部）が円形を形成するように互いに等間隔をおいて前記上部カバーに一体的に形成され、複数の第２のバー（第１のディスク係止部）が前記第１のバーと交互となる位置に配置され、円形を形成するように互いに等間隔をおいて前記下部カバーに一体的に形成された構成のコンパクトディスク用ケースがある（特許文献２参照）。
【０００５】
この特許文献２の公知技術においては、従来のＣＤケースと同じ厚さのままであってもＣＤを保管できる枚数を増やすことができる技術、即ち、第１のバー（第２のディスク係止部）と第２のバー（第１のディスク係止部）とのそれぞれにＣＤを係止させて保管できるようにしたものである。
【０００６】
一般的に、例えば、第１のケース半体と第２のケース半体との合体を解除して開きその内部にＣＤ、ＤＶＤ等のディスクを収納したり取り外したりする際に、該ディスクの裏面側（記録面側）に傷等が生じることを防止するため、前記第１のケース半体のＣＤ位置決め座または係止部にディスクの裏面側が内側になるように、つまり、ディスクの表面側が見えるように係止され収納されている。
【０００７】
【特許文献１】実用新案登録第３０３９０９２号公報
【特許文献２】実用新案登録第３０４４２７０号公報
【発明の開示】
【発明が解決しようとする課題】
【０００８】
しかしながら、前記特許文献１の公知技術においては、例えば、ＣＤ、ＤＶＤ等のディスクをクリーニング等する際に、ディスクの裏面側（記録面側）が見えるように反転させて、目視により汚れの状態またはクリーニング後の状態がチェックできるようにしなければならない。このような場合、ディスクに直接触れて本体のＣＤ位置決め座または係止部からディスクを取り外して反転させ、クリーニング後には更に反転させて納めなければならず、クリーニング等の作業性が劣るという問題点を有している。
【０００９】
また、前記特許文献２の公知技術においては、上部カバー（第２のケース半体）と下部カバー（第１のケース半体）とに、第１のバー（第２のディスク係止部）と第２のバー（第１のディスク係止部）とが設けられているものであるが、第１のバーと第２のバーとのそれぞれにＣＤを係止させて保管できる構成であって、これら各ＣＤをクリーニングしようとする場合には、前述したように、それぞれディスクを取り外して反転させ、クリーニング後においてもそれぞれのディスクを更に反転させて納めなければならないのである。
【００１０】
そして、この特許文献２においては、上部カバーと下部カバーとに第１のバーと第２のバーとのＣＤ位置決め座（係止部）がそれぞれ設けられているが、各ＣＤ位置決め座（係止部）のそれぞれは単にＣＤを係止できるだけの構成でしかないのである。これを、例えば、一方の下部カバーの第２のバーにだけ係止させてＣＤを収納するようにして、その係止されたＣＤに直接触れないで、上部カバーの第１のバーに移動させようとした場合に、下部カバーの外側から押圧しても第２のバーの近傍に押圧による変形部が存在しないために、第２のバーに係止されたＣＤを第１のバー側に係止させることはできないのである。また、その逆においても同様である。
【００１１】
従って、従来のディスク収納ケースにおいては、ディスクのクリーニング時に、ディスク収納ケースに収納されている状態で第１のケース半体から第２のケース半体にディスクを移動させて、ディスクに直接触れなくてもディスクを反転させて裏面側（記録面側）を表出させたり、クリーニング後に更に反転させることができるようにすることに解決しなければならない課題を有している。
【課題を解決するための手段】
【００１２】
上記した従来例の課題を解決する具体的手段として本発明のディスク収納ケースは、第１のケース半体と第２のケース半体とをヒンジ部を介して開閉自在に合体させるディスク収納ケースであって、前記第１のケース半体に、押圧により変形する第１変形部とディスクの孔部に係脱自在で且つ係止・保持できる第１係止部とからなる第１のディスク係止部が設けられ、前記第２のケース半体に、前記第１のデスク係止部と対応する位置に、押圧により変形する第２変形部とディスクの孔部に係脱自在で且つ係止・保持できる第２係止部とからなる第２のディスク係止部が設けられ、前記第１または第２係止部にディスクを係止・保持させて収納した状態で、第１または第２のディスク係止部を押圧変形させることにより、押圧変形した側のディスク係止部側にディスクを移転させて係止・保持できる構成であることを最も主要な特徴とする。
【００１３】
この発明において、前記第１および第２変形部は、低い段差をもった台形状に形成されていること；前記第１係止部は、略逆台形状に形成されその上端縁部がディスクの孔部よりも僅かに大径に形成されていること；および前記第２係止部は、円形状に所要間隔をもって配設された複数の円弧状を呈する柱状体で形成され、その先端部はディスクの孔部よりも僅かに大径になるように突出部が形成されていること、を付加的な要件として含むものである。
【発明の効果】
【００１４】
本発明に係るディスク収納ケースは、第１のケース半体と第２のケース半体とをヒンジ部を介して開閉自在に合体させるディスク収納ケースであって、前記第１のケース半体に、押圧により変形する第１変形部とディスクの孔部に係脱自在で且つ係止・保持できる第１係止部とからなる第１のディスク係止部が設けられ、前記第２のケース半体に、前記第１のデスク係止部と対応する位置に、押圧により変形する第２変形部とディスクの孔部に係脱自在で且つ係止・保持できる第２係止部とからなる第２のディスク係止部が設けられ、前記第１または第２係止部にディスクを係止・保持させて収納した状態で、第１または第２のディスク係止部を押圧変形させることにより、押圧変形した側のディスク係止部側にディスクを移転させて係止・保持できる構成にしたことによって、ディスク収納ケースに収納されている状態で、例えば、第２のディスク係止部を押圧変形させることで第１のケース半体から第２のケース半体にディスクを移動させることができるのであり、ディスクに直接触れなくても、押圧した側にディスクを移転できるので、その後にディスク収納ケースを開きさえすれば、反転させたディスクの収納状態を得ることができるという優れた効果を奏する。
【発明を実施するための最良の形態】
【００１５】
次に、本発明を具体的な実施の形態に基づいて詳しく説明する。
本発明に係るディスク収納ケースを図１乃至図３を用いて説明する。図１に、ディスク収納ケースの略示的な斜視図を示してある。ディスク収納ケース１は、内部に収納するディスク２を通常時に収納・保持する本体としての第１のケース半体３と、蓋部材としての第２のケース半体４と、該第１のケース半体３と第２のケース半体４とを連結して回転可能な状態にするためのヒンジ部５とから構成されており、該ヒンジ部５を介して第１のケース半体３と、第２のケース半体４とを開閉自在に合体させることができるようになっている。
【００１６】
ディスク収納ケース１は、例えば、熱可塑性の樹脂等を用いて一体に形成することができるし、また、第１のケース半体３と、第２のケース半体４とを別々に形成してヒンジ部５により連結するように構成しても良い。
【００１７】
一方の第１のケース半体３の内面側の略中央部には、例えば、ＣＤまたはＤＶＤ等のディスク２に形成された孔部２ａが係脱自在であって、且つ該ディスク２を係止・保持できる第１のディスク係止部６が設けられている。
【００１８】
第１のディスク係止部６は、図２（ａ）および図３に示したように、外部からの押圧により変形する円形状の第１変形部７と、該第１変形部７の中央部に突出させて形成した第１係合部８とから構成されている。この円形状の第１変形部７は、低い段差７ａをもって略台形状に内側へ突出させて形成したものであり、前記第１係合部８は略逆台形状に突出させて形成したものであって、該第１係合部８は、その上端縁部８ａが適宜縮径されるように複数条の切り込み８ｂが形成されている。
【００１９】
この場合に、第１変形部７に突出形成された第１係合部８は、その上端縁部８ａの外径は、ディスク２に形成された孔部２ａより稍大径に形成され、付け根部分の外周径は、孔部２ａより稍小径に形成された逆台形状を呈しているのである。従って、ディスク２の孔部２ａを嵌合・離脱させるためには、その嵌合・離脱時に上端縁部８ａを一時的に縮径させる必要があるので、複数条の切り込み８ｂが形成されるのであり、該切り込み８ｂは、第１変形部７から第１係合部８の高さ方向に沿って形成されると共に、第１係合部８の上面においては円弧状に形成され、全体として略コの字状を呈するものであって、例えば、４個の切り込み８ｂを周方向に等間隔をもって形成してある。
【００２０】
このように切り込み８ｂを形成することによって、切り込み８ｂが隣接する比較的狭い部位８ｃは円形の中央部に４箇所で連続しており、この狭い部位８ｃの上端縁部８ｄは、他の切り込み８ｂで囲まれた上端縁部８ａよりも縮径し難い、つまり、剛性が強い構成になっており、実質的にこの狭い部位８ｃにおける剛性の強い上端縁部８ｄがディスク２を安定した状態で係止・保持するのである。
【００２１】
他方の第２のケース半体４の内面側中央部には、ヒンジ部５を介して前記第１のケース半体３と合体させた際に、前記第１のケース半体３に設けられた第１のディスク係止部６と対応する位置に第２のディスク係止部９を設けてある。
【００２２】
この第２のディスク係止部９は、図２（ｂ）および図３に示したように、外部からの押圧により変形する円形状の第２変形部１０と、該第２変形部１０の中央部寄りに同心円状に突出させて形成した複数の円弧状の第２係合部１１とから構成されている。この円形状の第２変形部１０は、低い段差１０ａをもって略台形状に内側へ突出させて形成したものであり、前記複数の円弧状の第２係合部１１は、例えば、６個の円弧状の第２係合部１１を所定の間隔をもって円形状に且つ略垂直に起立させたものである。
【００２３】
そして、円形状に且つ垂直に起立させた円弧状の第２係合部１１は、その円形状における外径はディスク２の孔部２ａの径よりもわずかに小径であって、各第２係合部１１の先端部は外側にわずかに膨らませた突出部１１ａに形成し、該突出部１１ａの部分は、ディスク２の孔部２ａの径よりもわずかに大径に形成してある。このように形成することで、ディスク２の孔部２ａを嵌合・離脱させる際に、各第２係合部１１の先端部における突出部１１ａが孔部２ａによって内側に押されて一時的に縮径するのであり、それにより或る程度の抵抗をもって嵌合・離脱が可能になるのである。なお、第２係合部１１の更に内側に同心円状にリング状の補助突出部１２を形成しても良い。
【００２４】
このように第１のディスク係止部６を設けた第１のケース半体３と、第２のディスク係止部９設けた第２のケース半体４とは、図１に示したように、ヒンジ部５を介して開閉自在に連結されるものであるが、各ケース半体３、４には、それぞれ側壁部１３、１４とその内側にディスク２のガタツキを防止する円弧状の壁部１５、１６とがそれぞれ設けられている。
【００２５】
即ち、第１のケース半体３におけるヒンジ部５側を除く内面側の周縁部寄りに、第１の側壁部１３が突出して形成され、第２のケース半体４においても同様にヒンジ部５側を除く内面側の周縁部寄りに、第２の側壁部１４が突出して形成されている。そして、第１および第２のケース半体３、４を合体させた時に、第２の側壁部１４が第１の側壁部１３の外周面に重なり合うように一回り大きめに形成されており、その合体を精度良く行うために、第１の側壁部１３の一部にスリット状の切り欠き部１３ａを形成し、この切り欠き部１３ａに係合するリブ状の突起部１４ａを第２の側壁部１４側の対応する位置に形成してある。
【００２６】
また、第１のケース半体３の内面側に、第１のディスク係止部６と同心円状に且つ収納されるディスク２の外径よりも若干大径になるように複数の第１の円弧状壁部１５を突出形成すると共に、第２のケース半体４の内面側にも、第２のディスク係止部９と同心円状に且つ前記第１の円弧状壁部１５の外周面に嵌合して係合する径の複数の第２の円弧状壁部１６を突出形成する。これらの各円弧状壁部１５、１６は、要するに、ディスク２のガタツキが防止できれば良いので、円弧状部が所要の間隔をもって起立状態に形成すれば良いのである。なお、ヒンジ部５を介して開閉自在に連結された第１および第２のケース半体３、４の外側面には、例えば、収納されるディスク２のジャケットまたはタイトル等を挟み込むために透明または半透明なフィルム１７が配設されており、該フィルム１７によって第１のディスク係止部６に設けた切り込み８ｂからの塵の侵入を防いでいる。
【００２７】
このように構成したディスク収納ケース１において、該ディスク収納ケース１の内部にディスク２を収納させた場合について説明する。まず、通常時にディスク２をディスク収納ケース１内に収納・保持させる場合には、ディスク２の裏面側（記録面側）を下に向ける、即ち、ディスク収納ケース１を開いた際に、ディスク２の表面側が見える状態にして該ディスク２の孔部２ａに第１のケース半体３に設けられた第１のディスク係止部６の第１係合部８を合わせ、該ディスク２を押圧して孔部２ａに第１係合部８を嵌り込ませ、段差をもった第１変形部７の平面部と第１係合部８の上端縁部８ｄとの間で係止して保持されるようになる（図３（ａ）の状態参照）。
【００２８】
このようにディスク２を第１のディスク係止部６に係止させることにより、ディスク２はディスク収納ケース１内で移動する等のズレが防止され、また、仮にディスク係止部６における係止が緩んだとしても、該ディスク係止部６には第２のディスク係止部９が当接しているため、ディスク２の浮き上がりまたは移動が防止されると共に、第１のケース半体３及び／または第２のケース半体４に形成された円弧状壁部１５、１６により、ディスク収納ケース１内におけるディスク２の移動を制限することができるため、ディスク２に傷等が生じることを防止できるのである。
【００２９】
そして、このようにディスク収納ケース１にディスク２収納した状態でレンタルするのであるが、そのレンタルから返却された場合に、返却されたディスク２をクリーニングする必要がある。そのためには、収納されているディスク２を第１のディスク係止部６に係止された状態から反転させ、ディスク２の裏面側が見える状態にしなければならないのである。
【００３０】
このような場合に、ディスク収納ケース１の第１のケース半体３と、第２のケース半体４とを合体させて閉じた状態のまま、図３（ｂ）に示したように、第２のケース半体４の外側から矢印ａで示すように指で第２のケース半体４における第２変形部１０を押圧して変形させる。そうすると、該第２変形部１０に形成された第２係合部１１が第１のケース半体３に設けられた第１のディスク係止部６における第１係合部８を押し下げることになり、それによって第１変形部７が外側に膨らむように押し下げられる。この場合に、例えば指先で局部的に押圧しても、外側にフィルム１７が存在することで、その押圧力が周囲に伝達されて第２変形部１０の全体が押圧されるようになるのである。
【００３１】
この押し下げられる作用によって、第１変形部７に形成された逆台形を呈する第１係合部８の下部側が押し開かれる状態になることで、第１係合部８の上面側が縮径するようになり、同時に第２変形部１０の押し下げ作用によって第２係合部１１の先端側がディスク２の孔部２ａに入って開くようになり、先端側の突出部１１ａでディスク２を支持し、第２のケース半体４の外側からの押圧を緩めることで、図３（ｃ）に示したように、第１変形部８と第２変形部１０とが元の状態に復元し、ディスク２は第２のディスク係止部９の第２係合部１１側に移行して係止または支持された状態になる。
【００３２】
この状態で第１のケース半体３から第２のケース半体４を開くと、内部に収納されているディスク２は、第１係合部８から移行して第２のディスク係止部９の第２係合部１１に係止・保持されているので、第２のケース半体４を開いただけで、ディスク２が反転した状態、即ちディスク２の裏面側（記録面側）が表面に見える状態になっているのであり、この状態で記録面側をクリーニングすることができるのである。
【００３３】
つまり、レンタルから返却されたディスク２は、ディスク収納ケース１に収納された状態のままで、第２のケース半体４側の第２のディスク係止部９を押圧してから、ディスク収納ケース１を開ければ、ディスク２に直接手を触れることなく第２のケース半体４側のディスク係止部９に反転したディスク２が係止・保持されるのであり、その係止・保持された状態のままで、ディスク２を速やかに且つ容易にクリーニング等することができるようになるのである。
【００３４】
そして、ディスク２をクリーニング等した後は、ディスク収納ケース１を閉じ、第２のケース半体４を下側にして、第１のケース半体３側の第１のディスク係止部６を押圧することにより、前記とは逆に第１変形部７に形成された第１係合部８が第２のケース半体４に設けられた第２のディスク係止部９における第２係合部１１を押し下げることになり、それによって第２変形部１０が外側に膨らむように押し下げられる。
【００３５】
この押し下げられる作用によって、第２変形部１０に形成された第２係合部１１の付け根側が外側に湾曲する状態になることで、第２係合部１１の先端側が縮径するようになり、同時に第１変形部７の押し下げ作用によって第１係合部８の上面側がディスク２の孔部２ａに入って拡がるようになり、上端縁部８ｄでディスク２を支持し、第１のケース半体３の押圧を緩めることで、前記同様に第１変形部８と第２変形部１０とが元の状態に復元し、ディスク２は第１のディスク係止部６の第１係合部８側に移行して係止または支持された状態になり、適正な収納状態に戻るのである。
【００３６】
このようにディスク収納ケース１を構成する第１と第２のケース半体３、４にそれぞれ第１および第２の変形部７、１０と第１および第２の係合部８、１１とを有する第１および第２のディスク係止部６、９を設けることによって、ディスク収納ケース１内に収納されているディスク２に手を触れることなく、該ディスク２を第１のケース半体３側または第２のケース半体４側に係止・保持させることができ、それによってディスク収納ケース１を開いた時に、ディスク２の表面側または裏面側（記録面側）を任意に表出させることができ、特に、レンタル店において、レンタル返却後のディスク２をクリーニングする際に、ディスク収納ケース１を閉じた状態のままで、とにかく第２のケース半体４側から中央部の第２のディスク係止部９を一度押圧してから開けば、収納されているディスク２が第２のケース半体４側に位置して裏面側（記録面側）が表出した状態で開くことができ、その状態でクリーニングした後に、ディスク収納ケース１を閉じて第１のディスク係止部６側から押圧しさえすれば、第１のケース半体３側にディスク２が係止・保持され、次にディスク収納ケース１を開いた時に、表面側が表出するように適正な収納状態になるのである。
【産業上の利用可能性】
【００３７】
いずれにしても本発明に係るディスク収納ケース１は、内部に収納したディスク２を手で触れることなく押圧した側のケース半体側に係止・保持させることができるのであり、それによって、ディスク収納ケース１を開いた時にディスク２の表面側または裏面側（記録面側）を任意に表出させることができるのであって、その用途はレンタル店に限らず広く利用することができるものである。
【図面の簡単な説明】
【００３８】
【図１】本発明の実施の形態に係るディスク収納ケースを開いた状態で略示的に示した斜視図である。
【図２】（ａ）は、同ディスク収納ケースの第１のディスク係止部を拡大して略示的に示した平面図であり、（ｂ）は、ディスク収納ケースの第２のディスク係止部を拡大して略示的に示した平面図である。
【図３】（ａ）は、同ディスク収納ケースの要部におけるディスクが第１のディスク係止部側に係止・保持されている状態を拡大して略示的に示した断面図であり、（ｂ）は、同ディスク収納ケースにおいて、第２のディスク係止部を押圧してディスクが移行する状態を拡大して略示的に示した断面図であり、（ｃ）は、同ディスク収納ケースの要部におけるディスクが移行して第２のディスク係止部に係止・保持された状態を拡大して略示的に示した断面図である。
【符号の説明】
【００３９】
１  ディスク収納ケース
２  ディスク
２ａ  孔部
３  第１のケース半体
４  第２のケース半体
５  ヒンジ部
６  第１のディスク係止部
７  第１変形部
７ａ  低い段差
８  第１係合部
８ａ、８ｄ  上端縁部
８ｂ  切り込み
８ｃ  狭い部位
９  第２のディスク係止部
１０  第２変形部
１０ａ  低い段差
１１  第２係合部
１１ａ  突出部
１２  補助突出部
１３、１４  側壁部
１３ａ  切り欠き部
１４ａ  突起部
１５、１６  円弧状壁部
１７  フィルム
【図１】
2006151419.tif 000003
【図２】
2006151419.tif 000004
【図３】
2006151419.tif 000005